(57)【要約】【課題】欠陥チップを取り除くことなく動作可能な、プリント回路板のチップを検出する検出装置を提供する。【解決手段】プリント回路板に電気的に接続されたチップを検出する検出装置２０であって、複数のピンを有する書き換え可能チップ２１と、前記書き換え可能チップに電気的に接続され、両側に設置された複数のピン２５と、前記書き換え可能チップのピンに電気的に接続された代替プリント回路板２３と、前記チップと前記書き換え可能チップに接続され、前記チップと前記書き換え可能チップを制御するスイッチ２９と、を備える検出装置。この検出装置によれば、検出装置に電気的接続された欠陥チップが無効にされ、書き換え可能チップが欠陥チップの代用をすることから、欠陥チップを取り除くことなく動作することができる。【選択図】図１Ａ
2008096421.tif 000002
【特許請求の範囲】
【請求項１】
プリント回路板に電気的に接続されたチップを検出する検出装置であって、
複数のピンを有した書き換え可能チップと、
前記書き換え可能チップに電気的に接続され、両側に設置された複数のピンを有し、前記書き換え可能チップのピンに電気的に接続された代替プリント回路板と、
前記チップと前記書き換え可能チップに接続され、前記チップと前記書き換え可能チップを制御するスイッチと、
を備えることを特徴とする検出装置。
【請求項２】
前記代替プリント回路板は、前記代替プリント回路板を固定するための少なくとも１つの固定部を有することを特徴とする請求項１に記載の検出装置。
【請求項３】
前記代替プリント回路板は、３つの固定部を有することを特徴とする請求項２に記載の検出装置。
【請求項４】
前記代替プリント回路板は、前記検出装置を保護するシェルを有することを特徴とする請求項１に記載の検出装置。
【請求項５】
前記シェルは、固定素子を含むことを特徴とする請求項４に記載の検出装置。
【請求項６】
前記シェルは、前記チップを収容する空間を含むことを特徴とする請求項４に記載の検出装置。
【請求項７】
前記代替プリント回路板のピンは、スプリングピンであることを特徴とする請求項１に記載の検出装置。
【請求項８】
前記代替プリント回路板のピンは、弾力性があることを特徴とする請求項１に記載の検出装置。
【請求項９】
前記弾力性のあるピンは自由端を含み、前記自由端は水平方向に移動することを特徴とする請求項８に記載の検出装置。
【請求項１０】
プリント回路板に電気的に接続された複数のチップを検出する検出装置であって、
複数のピンを有する書き換え可能チップと、
複数のピンを有し、前記書き換え可能チップに電気的接続される接続プリント回路板と、
前記書き換え可能チップと前記接続プリント回路板に電気的接続され、両側に設置された複数のピンを含み、前記書き換え可能チップのピンに電気的に接続された代替プリント回路板と、
前記チップと前記書き換え可能チップに接続され、前記チップと前記書き換え可能チップを制御するスイッチと、
を備えることを特徴とする検出装置。
【請求項１１】
前記代替プリント回路板は、前記プリント回路板を固定するための少なくとも１つの固定部を有することを特徴とする請求項１０に記載の検出装置。
【請求項１２】
前記代替プリント回路板は、３つの固定部を有することを特徴とする請求１１に記載の検出装置。
【請求項１３】
前記代替プリント回路板は、前記検出装置を保護するシェルを有することを特徴とする請求項１０に記載の検出装置。
【請求項１４】
前記シェルは、固定素子を含むことを特徴とする請求項１３に記載の検出装置。
【請求項１５】
前記シェルは、前記チップを収容する空間を含むことを特徴とする請求項１３に記載の検出装置。
【請求項１６】
前記代替プリント回路板のピンは、スプリングピンであることを特徴とする請求項１０に記載の検出装置。
【請求項１７】
前記代替プリント回路板のピンは、弾力性があることを特徴とする請求項１０に記載の検出装置。
【請求項１８】
前記弾力性のあるピンは自由端を含み、前記自由端は水平方向に移動することを特徴とする請求項１７に記載の検出装置。
【発明の詳細な説明】
【技術分野】
【０００１】
本発明は、検出装置に関する。
【背景技術】
【０００２】
プリント回路板のチップが正常に機能しない時、通常、全てのチップがプリント回路板から取り除かれ、欠陥のあるチップを検出するために個別に検査される。検出器がチップの破損した情報を発見した場合、チップのデータが更新されてプリント回路板に戻される。また、検出器が機能しないチップを発見した場合、欠陥のあるチップは、新しいものに取り換えられる。その結果、プリント回路板が再び正常に機能する。しかし、従来の検出ステップは、欠陥のあるチップの正確な位置を特定しないことから、先ず、検出器がプリント回路板上の異常な領域を発見し、その異常な領域から全てのチップを取り除き、個別に検出しなくてはならないため、作業効率が悪い。
【発明の開示】
【発明が解決しようとする課題】
【０００３】
プリント回路板のチップを検出する検出装置を提供する。
【課題を解決するための手段】
【０００４】
本発明の検出装置は、書き換え可能チップと、この書き換え可能チップに電気的に接続された代替プリント回路板とを含む。代替プリント回路板は、複数のピンと、複数のピンを有する書き換え可能チップとを含む。代替プリント回路板のピンは、書き換え可能チップのピンに対応して電気接続する。よって、検出装置は、プリント回路板の欠陥チップに電気的に接続される。また、書き換え可能チップは、保持ピン（選択ピンとも称す）を含み、高電圧または低電圧を保持ピンに供給し、プリント回路板のチップを有効または無効にする。よって、検出装置に電気的に接続された欠陥チップは、検出装置によって無効にされ、書き換え可能チップが欠陥チップの代用をして、欠陥チップを取り除く必要なく動作をさせる。ダブル（ｄｏｕｂｌｅ）ＢＩＯＳとシングル（ｓｉｎｇｌｅ）ＢＩＯＳの例を下記に説明する。
【０００５】
ダブルＢＩＯＳでは、いずれかのＢＩＯＳデータが誤っている時、もう１つのＢＩＯＳがコピーし、誤ったデータのＢＩＯＳデータを修正する。２つのＢＩＯＳデータが誤っている時、検出装置はＢＩＯＳを修復する。２つのＢＩＯＳは、ＢＩＯＳ−１とＢＩＯＳ−２を含む。検出装置は、ＢＩＯＳ−Ｎを含む。検出装置は、ＢＩＯＳ−１に電気的に接続され、ＢＩＯＳ−１を無効にする。例えば、コンピュータは、マザーボードを含む。そのコンピュータはＢＩＯＳ−Ｎによって起動する。マザーボードは、ＢＩＯＳ−ＮデータをＢＩＯＳ−２にコピーする。更新後、検出装置は、ＢＩＯＳ−２から取り除かれる。コンピュータが再起動し、ＢＩＯＳ−２データがマザーボードによってＢＩＯＳ−１にコピーされる。
【０００６】
シングルＢＩＯＳは、ＢＩＯＳ−Ｆを含む。検出装置は、ＢＩＯＳ−Ｎを含む。その検出装置は、ＢＩＯＳ−Ｆに電気的に接続され、ＢＩＯＳ−Ｆを無効にする。コンピュータはＢＩＯＳ−Ｎによって起動し、ＢＩＯＳを更新するようにソフトウェアを実行する。ＢＩＯＳ−Ｆを更新する前にＢＩＯＳ−Ｆを有効にし、ＢＩＯＳ−Ｎを無効にする。次に、保存装置の中の正しいＢＩＯＳデータがＢＩＯＳ−Ｆにコピーされる。
【発明の効果】
【０００７】
本発明の検出装置によれば、検出装置に電気的接続された欠陥チップが検出装置によって無効にされ、書き換え可能チップが欠陥チップの代用をすることから、欠陥チップを取り除くことなく動作することができる。
【発明を実施するための最良の形態】
【０００８】
本発明についての目的、特徴、長所が一層明確に理解されるよう、以下に実施形態を例示し、図面を参照にしながら、詳細に説明する。
【実施例】
【０００９】
図１Ａを参照して説明する。チップ１０がプリント回路板１１に取り付けられ、電気的に接続される。本発明は、検出装置２０を提供し、プリント回路板１１上のチップ１０を検出する。チップ１０が欠陥のある場合、検出装置２０の書き換え可能チップ２１が欠陥チップ１０の代用をする。よって、プリント回路板１１は、一時的に動作し、最後に欠陥チップ１０のデータが更新される。欠陥チップ１０が修復されない場合、欠陥チップ１０が取り除かれ、新しいチップが取り付けられる。例えば、マザーボードのＢＩＯＳチップが欠陥を有するために、コンピュータが起動しない場合がある。コンピュータが起動しない時、検出装置２０は、ＢＩＯＳチップに電気的接続され、ＢＩＯＳチップを無効にする。ＢＩＯＳチップが無効になるため、マザーボードは、書き換え可能チップ２１のデータを読み込み、よって、コンピュータが起動する。コンピュータを起動した後、ＢＩＯＳは有効にされ、検出装置２０がＢＩＯＳチップから取り除かれる。ＢＩＯＳチップのデータは、ソフトウェアによって更新される。ＢＩＯＳチップが修復されない場合、ＢＩＯＳチップが取り除かれ、新しいチップが取り付けられる。
【００１０】
検出装置２０は、書き換え可能チップ２１と、この書き換え可能チップ２１に電気的接続された代替プリント回路板２３とを含む。図１Ｂを参照して説明する。代替プリント回路板２３は、複数のピン２５と、複数のピン２１１を含む書き換え可能チップ２１とを含む。代替プリント回路板２３のピン２５は、書き換え可能チップ２１のピン２１１に対応して電気的に接続している。チップ１０は、複数のピン１０１を含む。検出装置２０がチップ１０に電気的に接続された時、ピン２５は、チップ１０のピン１０１に電気的に接続する。代替プリント回路板２３は、スイッチ２９（簡易化にため図１Ａにのみ示す）を含み、チップ１０と書き換え可能チップ２１を有効または無効にする。検出装置２０がチップ１０を検出した時、スイッチ２９は、チップ１０を無効にし、書き換え可能チップ２１を有効にする。書き換え可能チップ２１が欠陥チップ１０の代用をし、よって、プリント回路板１１は、一時的に動作する。チップ１０がスイッチ２９によって無効にされたと同時に、書き換え可能チップ２１は、スイッチ２９によって有効にされる。一方、チップ１０がスイッチ２９によって有効にされたと同時に、書き換え可能チップ２１は、スイッチ２９によって無効にされる。スイッチ２９は、デジタルロジック回路に広く応用されているため、その説明は省略する。
【００１１】
チップ１０のピン１０１が同じ高さにないため、ピン２５は、スプリングピン２５１（図２Ａに示す）を含み、接触不良を防ぐ。検出装置２０がチップ１０に取り付けられた時、検出装置２０は、図２Ｂに示すように下方に軽く押される。よって、チップ１０のピン１０１が検出装置２０に安定して電気接続される。図３Ａを参照して説明する。検出装置２０は、チップ１０のピン１０１に電気的に接続された複数のフレキシブルピン２５２を含む。検出装置２０がチップ１０に取り付けられた時、検出装置２０は、下方に軽く押される。よって、チップ１０のピン１０１がピン２５に安定して電気的に接続される。各フレキシブルピン２５２は、水平方向に移動可能な自由端２５３を含み、検出装置２０とチップ１０のピン１０１の間の安定した接続を確保する。
【００１２】
図４Ａを参照して説明する。代替プリント回路板２３は、少なくとも１つの固定部２４を含み、検出装置２０の接続不良、傾き、または動きを防ぐ。プリント回路板１１は、固定部２４に対応した孔１２を含む。検出装置２０がチップ１０に取り付けられた時、検出装置２０は、固定部２４と孔１２の係合によってチップ１０のピン１０１に安定して接続される。図４Ｂを参照して説明する（ピン２５が省略）。チップ１０の各ピン１０１は、異なるデータを伝送する。代替プリント回路板２３は、３つの固定部２４を含み、書き換え可能チップ２１が正確な方向に挿入されていることを確保し、チップ１０との誤った接続を回避する。
【００１３】
図５Ａは、本発明の他の実施例を表している。代替プリント回路板２３は、代替プリント回路板２３の下方で、ピン２５の周りに設置されたシェル２６を含み（図５Ｂのシェル２６の横断面を表している）、検出装置２０を保護する。検出装置２０は、シェル２６によってチップ１０に固定される。図５Ｂと５Ｃを参照して説明する。シェル２６は、チップ１０を収容するスペース２７を含む。スペース２７は、検出装置２０の接続不良、傾き、または動きを防ぐ。シェル２６は、固定素子２６１を更に含み、プリント回路板１１は、チップ１０と書き換え可能チップ２１の誤った接続を防ぐ孔を含む。
【００１４】
図６を参照して説明する。検出装置４０は、書き換え可能チップ４１と、接続プリント回路板４２と、代替プリント回路板４３とを含む。接続プリント回路板４２は、複数のピン４２１を含む。接続プリント回路板４２は、ピン４２１によって代替プリント回路板４３に電気的接続される。書き換え可能チップ４１は、ピン４２１に電気的接続される。代替プリント回路板４３は、代替プリント回路板４３の両側に設置され、接続プリント回路板４２のピン４２１に電気的に接続される。検出装置４０がチップ１０に取り付けられた時、代替プリント回路板４３は、ピン４３１によってチップ１０に電気的に接続される。ピン４３１の形状は、図２Ａ〜３Ｂに類似することができる。代替プリント回路板４３は、図４Ａ〜５Ｃに類似することができる。
【００１５】
以上、本発明の好適な実施例を例示したが、これは本発明を限定するものではなく、本発明の趣旨及び範囲を逸脱しない限りにおいては、当業者であれば行い得る少々の変更や変形を付加することは可能である。従って、本発明が保護を請求する範囲は、特許請求の範囲によって決定される。
【図面の簡単な説明】
【００１６】
【図１Ａ】本発明の実施形態の検出装置とプリント回路板の概略図である。
【図１Ｂ】本発明の実施形態の検出装置とプリント回路板の概略断面図である。
【図２Ａ】本発明の別の実施形態の検出装置とプリント回路板の概略断面図である。
【図２Ｂ】本発明の別の実施形態の検出装置とプリント回路板の概略断面図である。
【図３Ａ】本発明のさらに別の実施形態の検出装置とプリント回路板の概略断面図である。
【図３Ｂ】本発明のさらに別の実施形態の検出装置とプリント回路板の概略断面図である。
【図４Ａ】プリント回路板に接続された本発明のさらに別の実施形態の検出装置を表している概略断面図である。
【図４Ｂ】プリント回路板に接続された本発明のさらに別の実施形態の検出装置を表している概略図である。
【図５Ａ】プリント回路板に接続された本発明のさらに別の実施形態の検出装置を表している概略断面図である。
【図５Ｂ】本発明のさらに別の実施形態の検出装置を表している概略図である。
【図５Ｃ】本発明のさらに別の実施形態の検出装置を表している概略図である。
【図６】本発明のさらに別の実施形態の検出装置の概略図である。
【符号の説明】
【００１７】
１０    チップ
１０１  ピン
１１    プリント回路板
１２    孔
２０，４０  検出装置
２１，４１  書き換え可能チップ
２３，４３  代替プリント回路板
２４    固定ピン
２５，４３１  ピン
２６    シェル
２６１  固定素子
２７    収容空間
２９    スイッチ
４２    接続プリント回路板
４２１  ピン 
【図１Ａ】
2008096421.tif 000003
【図１Ｂ】
2008096421.tif 000004
【図２Ａ】
2008096421.tif 000005
【図２Ｂ】
2008096421.tif 000006
【図３Ａ】
2008096421.tif 000007
【図３Ｂ】
2008096421.tif 000008
【図４Ａ】
2008096421.tif 000009
【図４Ｂ】
2008096421.tif 000010
【図５Ａ】
2008096421.tif 000011
【図５Ｂ】
2008096421.tif 000012
【図５Ｃ】
2008096421.tif 000013
【図６】
2008096421.tif 000014